(57)【特許請求の範囲】
【請求項１】
情報処理機器及びスキャナ装置と通信可能なデータ処理装置であって、
ライセンス管理を行うライセンスサーバー機能を有する情報処理機器を特定する特定手段と、
前記特定手段によりライセンスサーバー機能を有する情報処理機器であると特定された情報処理機器を示すライセンスサーバーの情報及び、前記スキャナ装置に対応する情報を識別可能に表示する表示手段と、
前記表示手段において表示されている前記ライセンスサーバーの情報に対して、前記表示手段において表示されている前記スキャナ装置に対応する情報がドロップ操作されたことに応答して、前記ライセンスサーバーの情報に係るライセンスサーバー機能を有する情報処理機器を介して、前記ライセンスサーバー機能を有する情報処理機器からライセンスの提供を受けている複数のクライアント情報処理機器に対して前記スキャナ装置内にある配信データを送信する送信手段と、
前記ライセンスサーバー機能を有する情報処理機器の内、前記データ処理装置がライセンスの提供を受けているライセンスサーバー機能を有する情報処理機器を判別する第１の判別手段と、を備え、
前記表示手段は、前記第１の判別手段により前記データ処理装置がライセンスの提供を受けるライセンスサーバー機能を有する情報処理機器であると判別された情報処理機器を示すライセンスサーバーの情報及び、前記特定手段により特定された情報処理機器を示すライセンスサーバーの情報を識別可能に表示することを特徴とするデータ処理装置。
【請求項２】
前記表示手段は、サーバー機能を有する情報処理機器の内で、ライセンスサーバー機能を有する情報処理機器を、特定のキャラクタ情報にて表示することを特徴とする請求項１に記載のデータ処理装置。
【請求項３】
前記各ライセンスサーバー機能を有する情報処理機器が所有するライセンスを利用しているクライアント情報処理機器を、各ライセンスサーバー機能を有する情報処理機器毎に判別する第２の判別手段を更に備え、
前記表示手段は、前記第２の判別手段により判別された情報処理機器それぞれのライセンスを利用しているライアント情報処理機器のグループそれぞれを、別のキャラクタ情報にて表示することを特徴とする請求項２に記載のデータ処理装置。
【請求項４】
前記各ライセンスサーバー機能を有する情報処理機器それぞれのライセンスを利用しているクライアント情報処理機器のグループそれぞれの中から、前記データ処理装置と同一のライセンスサーバー機能を有する情報処理機器を利用しているクライアント情報処理機器のグループを判別する第３の判別手段を更に備え、
前記表示手段は、前記第３の判別手段に判別されたクライアント情報処理機器のグループを、前記データ処理装置と同一のライセンスサーバー機能を有する情報処理機器を利用していることを示すキャラクタ情報にて表示することを特徴とする請求項２に記載のデータ処理装置。
【請求項５】
前記クライアント情報処理機器のグループに対して行われるデータの配信処理は、前記配信データが、前記ライセンスサーバー機能を有する情報処理機器のキャラクタ情報上にドロップ操作されたことで行われることを特徴とする請求項３または４に記載のデータ処理装置。
【請求項６】
前記ライセンスサーバー機能を有する情報処理機器が前記データ処理装置であった場合、
前記表示手段は、前記データ処理装置を、ライセンスサーバー機能を有する情報処理機器を示すキャラクタ情報にて表示することを特徴とする請求項２乃至５のいずれか１項に記載のデータ処理装置。
【請求項７】
前記キャラクタ情報は、前記表示手段が表示する仮想システム構成表示画面上に表示されている前記情報処理機器各々を示したアイコンであることを特徴とする請求項２乃至６のいずれか１項に記載のデータ処理装置。
【請求項８】
情報処理機器及びスキャナ装置と通信可能なデータ処理装置におけるデータ処理方法であって、
ライセンス管理を行うライセンスサーバー機能を有する情報処理機器を特定する特定手順と、
前記特定手順によりライセンスサーバー機能を有する情報処理機器であると特定された情報処理機器を示すライセンスサーバーの情報及び、前記スキャナ装置に対応する情報を識別可能に表示する表示手順と、
前記表示手順において表示されている前記ライセンスサーバーの情報に対して、前記表示手順において表示されている前記スキャナ装置に対応する情報がドロップ操作されたことに応答して、前記ライセンスサーバーの情報に係るライセンスサーバー機能を有する情報処理機器を介して、前記ライセンスサーバー機能を有する情報処理機器からライセンスの提供を受けている複数のクライアント情報処理機器に対して前記スキャナ装置内にある配信データを送信する送信手順と、
前記ライセンスサーバー機能を有する情報処理機器の内、前記データ処理装置がライセンスの提供を受けているライセンスサーバー機能を有する情報処理機器を判別する第１の判別手順と、を含み、
前記表示手順は、前記第１の判別手順により前記データ処理装置がライセンスの提供を受けるライセンスサーバー機能を有する情報処理機器であると判別された情報処理機器を示すライセンスサーバーの情報及び、前記特定手順により特定された情報処理機器を示すライセンスサーバーの情報を識別可能に表示することを特徴とするデータ処理方法。
【請求項９】
前記表示手順は、サーバー機能を有する情報処理機器の内で、ライセンスサーバー機能を有する情報処理機器を、特定のキャラクタ情報にて表示することを特徴とする請求項８に記載のデータ処理方法。
【請求項１０】
前記各ライセンスサーバー機能を有する情報処理機器が所有するライセンスを利用しているクライアント情報処理機器を、各ライセンスサーバー機能を有する情報処理機器毎に判別する第２の判別手順を更に含み、
前記表示手順は、前記第２の判別手順により判別された情報処理機器それぞれのライセンスを利用しているライアント情報処理機器のグループそれぞれを、別のキャラクタ情報にて表示することを特徴とする請求項９に記載のデータ処理方法。
【請求項１１】
前記各ライセンスサーバー機能を有する情報処理機器それぞれのライセンスを利用しているクライアント情報処理機器のグループそれぞれの中から、前記データ処理装置と同一のライセンスサーバー機能を有する情報処理機器を利用しているクライアント情報処理機器のグループを判別する第３の判別手順を更に含み、
前記表示手順は、前記第３の判別手順に判別されたクライアント情報処理機器のグループを、前記データ処理装置と同一のライセンスサーバー機能を有する情報処理機器を利用していることを示すキャラクタ情報にて表示することを特徴とする請求項９に記載のデータ処理方法。
【請求項１２】
前記クライアント情報処理機器のグループに対して行われるデータの配信処理は、前記配信データが、前記ライセンスサーバー機能を有する情報処理機器のキャラクタ情報上にドロップ操作されたことで行われることを特徴とする請求項１０または１１に記載のデータ処理方法。
【請求項１３】
前記ライセンスサーバー機能を有する情報処理機器が前記データ処理装置であった場合、
前記表示手順は、前記データ処理装置を、ライセンスサーバー機能を有する情報処理機器を示すキャラクタ情報にて表示することを特徴とする請求項９乃至１２のいずれか１項に記載のデータ処理方法。
【請求項１４】
前記キャラクタ情報は、前記表示手順が表示する仮想システム構成表示画面上に表示されている前記情報処理機器各々を示したアイコンであることを特徴とする請求項９乃至１３のいずれか１項に記載のデータ処理方法。
【請求項１５】
請求項８乃至１４のいずれか１項に記載のデータ処理方法をコンピュータに実行させることを特徴とするプログラムを記憶したコンピュータ読みとり可能な記録媒体。
【発明の詳細な説明】
【０００１】
【発明の属する技術分野】
本発明は、所定のネットワーク上に接続された各種のＰＣおよび各種の周辺機器とデータ通信可能なデータ処理装置、データ処理方法、並びにコンピュータ読みとり可能な記録媒体に関する。
【０００２】
【従来の技術】
近年、ＰＣ等のコンピュータの急速な普及に伴い、その周辺機器であるところのプリンタやスキャナ（画像読み取り機器等）やデジタルカメラ等の様々な周辺機器が、個人やオフィス等において急速に普及してきている。また、これらを相互に接続するＬＡＮなどのネットワークも普及してきている。これに伴い、以前から、これらネットワーク上で該ネットワークに接続されたプリンタ、モデム、スキャナ等を、複数のユーザにて共有して使用したいといった要求が数多くあげられていた。
【０００３】
そのため、最近では、プリンタ、スキャナなどの周辺機器にとどまらず、ネットワーク上のあらゆる装置を複数のユーザにて共有して使用することを可能とした環境が、オフィス等で広く構築されるようになってきた。
【０００４】
ところで、従来より、上述の如くのネットワーク環境を、ＰＣ（データ処理装置）等の画面上に表現（仮想ネットワーク表示）することが行われている。これは、ネットワークを表現する線上に、各種のＰＣや各種の周辺機器（ＰＣにローカル接続された周辺機器を含む）がアイコン表示されて構成されたものである。以降、上述の如くにＰＣ等の画面上に表現（仮想ネットワーク表示）されたものを、仮想システム構成表示（画面）という。尚、仮想システム構成表示（画面）を生成する方法については、過去において種々の提案がなされており、本明細書において説明は省略する。
【０００５】
さて、上記ネットワーク環境がＰＣ等の画面上に表現された従来の仮想システム構成表示画面において、ネットワーク上に接続された各種ＰＣおよび各種周辺機器の表示（アイコン）を参照することにより、その形状等から各アイコンが表現している機器の識別（プリンタかスキャナかあるいはＰＣか等の識別）や、各アイコン（機器）の有するデータ入力や出力等の機能やそのステータス情報を得ることができる。
【０００６】
しかしながら、従来の仮想システム構成表示画面において、例えばＰＣに関する表示においては、ユーザ自身のＰＣについては機能表示が行われるが、他のＰＣについては、いずれのＰＣについてもその機能表示は行われず、ユーザが所望とする機能を有するＰＣをネットワーク上で検索する際に、視覚的に識別することができず、対象ＰＣを判別するのが容易ではなかった。また、ＰＣにおける所定のグループに対してデータを配信する場合も、同一グループに属するＰＣが視覚的に容易に識別できないため、ユーザは配信先を別の方法で確認する必要があり、データ配信機能を利用する際の負荷（負担）となっていた。
【０００７】
【発明が解決しようとする課題】
以上述べたように、従来のデータ処理装置では、ユーザが仮想システム構成表示画面上で所望とする機能を有するＰＣを検索する際に、視覚的に識別することができず、対象ＰＣを判別するのが容易でないといった問題があった。
【０００８】
また、仮想システム構成表示画面上で、同一グループに属するＰＣが視覚的に容易に識別できないため、ユーザは配信先を別の方法で確認する必要があり、データ配信機能を利用する際に負担となるといった問題があった。
【０００９】
本発明は、上記問題に鑑みてなされたものであり、ユーザが各ＰＣの有する機能を視覚的に識別できるようなアイコン表示を仮想システム構成表示画面上に行い得るデータ処理装置、データ処理方法、並びにコンピュータ読みとり可能な記録媒体を提供することを第１の目的とするものである。
【００１０】
また、各ＰＣを表示する際に、ＰＣにおけるグループを視覚的に識別できるようなアイコン表示を仮想システム構成表示画面上に行い得るデータ処理装置、データ処理方法、並びにコンピュータ読みとり可能な記録媒体を提供することを第２の目的とするものである。
【００１１】
【課題を解決するための手段】
上記の目的を達成するために、本発明は、情報処理機器及びスキャナ装置と通信可能なデータ処理装置であって、ライセンス管理を行うライセンスサーバー機能を有する情報処理機器を特定する特定手段と、前記特定手段によりライセンスサーバー機能を有する情報処理機器であると特定された情報処理機器を示すライセンスサーバーの情報及び、前記スキャナ装置に対応する情報を識別可能に表示する表示手段と、前記表示手段において表示されている前記ライセンスサーバーの情報に対して、前記表示手段において表示されている前記スキャナ装置に対応する情報がドロップ操作されたことに応答して、前記ライセンスサーバーの情報に係るライセンスサーバー機能を有する情報処理機器を介して、前記ライセンスサーバー機能を有する情報処理機器からライセンスの提供を受けている複数のクライアント情報処理機器に対して前記スキャナ装置内にある配信データを送信する送信手段と、前記ライセンスサーバー機能を有する情報処理機器の内、前記データ処理装置がライセンスの提供を受けているライセンスサーバー機能を有する情報処理機器を判別する第１の判別手段と、を備え、前記表示手段は、前記第１の判別手段により前記データ処理装置がライセンスの提供を受けるライセンスサーバー機能を有する情報処理機器であると判別された情報処理機器を示すライセンスサーバーの情報及び、前記特定手段により特定された情報処理機器を示すライセンスサーバーの情報を識別可能に表示することを特徴とする。
【００４９】
上記発明によれば、サーバー機能を有する情報処理機器および共有サーバー機能を有する情報処理機器のうちでライセンスを管理するサーバー機能を有する情報処理機器のキャラクタ情報を、それぞれ、一般の情報処理機器とは異なった形状のキャラクタ情報にて表示するようにしたので、ユーザが視覚的に容易にサーバー機能、さらには、ライセンスを管理するサーバー機能を有する情報処理機器を識別できる。
【００５０】
また、各ライセンスを管理するサーバー機能を有する情報処理機器およびそのライセンスを使用するクライアント側情報処理機器で構成されるグループクライアントを明確にしたので、自機が属するグループを形成するライセンスを管理するサーバー機能を有する情報処理機器およびそのクライアント側情報処理機器を視覚的に容易に判断することができる。
【００５１】
【発明の実施の形態】
以下、本発明の実施の形態について、図面を参照して詳細に説明する。
図１は、本発明におけるデータ処理装置を含むネットワーク機器のシステム構成例を示した図である。
【００５２】
図１に示す如くのデータ処理装置（ＰＣ等）および各種の情報処理機器（ＰＣ等）および各種の周辺機器を含むネットワーク機器のシステムは、いくつかのローカルエリアネットワーク（以降、ＬＡＮともいう）が、サービス総合デジタルネットワーク（ＩＳＤＮ）などの高速度デジタル線で接続されることにより形成されるＬＡＮの集合体であるＷＡＮにより構成されている。図１では、ＬＡＮ１００及びＬＡＮ１３０と、ＬＡＮ１２０とが、バックボーン１４０によって接続されることにより、ＷＡＮが形成されている。これにより、ＬＡＮ１００、ＬＡＮ１２０、ＬＡＮ１３０にそれぞれ接続されている各データ処理装置及び各種の情報処理機器は、ＷＡＮを介して、自己が直接接続されているＬＡＮ以外の他のＬＡＮに接続されている他の機器の機能に、相互にアクセスすることが可能である。以降、このＷＡＮ接続を、単にネットワークともいう。
【００５３】
さて、図１におけるプリンタ１０２は開放型アーキテクチャを持つプリンタであって、ネットワークボード（ＮＢ）１０１を介してネットワークに接続されている。ＮＢ１０１は、同軸コネクタを持つＥｔｈｅｒｎｅｔインターフェイス１０Ｂａｓｅ−２や、ＲＪ−４５を持つ１０Ｂａｓｅ−Ｔのローカルエリアネットワークインターフェイス等を介して、（ＬＡＮ）１００に接続される。
【００５４】
複数のパーソナルコンピュータ（ＰＣ）ＰＣ１０３，ＰＣ１０４，ＰＣ１０９，ＰＣ１１０，ＰＣ１１８，ＰＣ１１９等は、ＬＡＮ１００，１２０，１３０にそれぞれ接続されており、これらＰＣは、ネットワークオペレーティングシステムの制御のもと、ＮＢ１０１と通信することが可能である。従って、本実施の形態では、ＰＣの１つである、例えばＰＣ１０３を、ネットワークデバイス管理用のＰＣとして使用する。
【００５５】
ＬＡＮ１００に接続されるＰＣ１０４には、プリンタ１０５がローカルプリンタとしてローカル接続される。この、プリンタサーバーとして機能するＰＣ１０４は、ローカルに接続されたプリンタ１０５、または遠隔地にあるプリンタ１０２などへの印刷を管理する。同様に、プリンタサーバーとして機能するＬＡＮ１３０に接続されるＰＣ１１３は、ローカルに接続されたプリンタ１１４、または遠隔地にあるプリンタ１０２などのプリンタへの印刷を管理する。
【００５６】
また、ＬＡＮ１００に接続されるファイルサーバーとして機能するＰＣ１０６は、大容量のネットワークディスク１０７に記憶されたファイルへのアクセスを管理する。同様に、ＬＡＮ１３０に接続され、ファイルサーバーとして機能するＰＣ１１１は、大容量のネットワークディスク１１２に記憶されたファイルへのアクセスを管理する。
【００５７】
さらに、ＰＣ１１３をスキャナサーバーとして機能させ、ローカルに接続されたスキャナ１１５、または、遠隔地にあるスキャナ１０８などのスキャナを管理する。スキャナ１０８は、図示しないネットワークボードを介してＬＡＮ１００に接続されている。また、デジタル複写機１１６は、ＬＡＮ１３０に接続されるイメージングプロセッシングユニット１１７の管理制御の下に、プリンタやスキャナとしての機能を提供する。
【００５８】
尚、図１に示すネットワークでは、様々なネットワークメンバ間で効率よく通信を行うために、ＮｏｖｅｌｌやＵＮＩＸなどのネットワークソフトウェアが使用される。
【００５９】
また、ＰＣ１０３およびＰＣ１０４はそれぞれ、データファイルの生成、生成したデータファイルのＬＡＮ１００への送信、またはＬＡＮ１００からのファイルの受信、さらに、それらのファイルの表示および／または処理を行うことができる一般的なＰＣである。
【００６０】
さらに、図１では、端末装置としてパーソナルコンピュータ（ＰＣ）が示されているが、ネットワークソフトウェアを実行するのに適した他のコンピュータ機器であってもよい。例えば、ＵＮＩＸのソフトウェアを使用している場合にはＵＮＩＸワークステーションをネットワークに接続してもよく、これらのワークステーションは図示されているＰＣと混在して使用可能なことは勿論である。
【００６１】
また、通常、ＬＡＮ１００は、比較的ローカルなユーザグループに、例えば、１つの建物内の１つの階または連続した複数の階のユーザグループなどのサービスを提供する。一方、ユーザが異なる建物や遠隔地にいるなど、一般に、ユーザ同士が離れるに従ってワイドエリアネットワーク（ＷＡＮ）が構築される。
【００６２】
図２は、本発明のデータ処理装置の構成を示したブロック図である。
【００６３】
図２に示す如くのデータ処理装置は、図示しない通信媒体である、例えばイーサネット等のＬＡＮを介して所定の周辺機器（プリンタ、スキャナ、モデム、複合画像処理装置等を含む）がローカルに接続された他のデータ処理装置と所定のプロトコルにより通信可能に構成されている。
【００６４】
図２において、１はシステムバスあり、これから説明する各部はこのシステムバス１に接続されている。２はＣＰＵ（ Central Processing Unit）である。３はプログラムメモリ（ＰＭＥＭ）で、本処理のためのプログラムを適宜ハードディスク１０から選択／読込みし、ＣＰＵ２にて実行する。また、キーボード１２から入力されたデータはテキストメモリでもあるＰＭＥＭ３にコード情報として格納される。
【００６５】
４は通信制御部であり、通信ポート５を介して入出力されるデータの制御を行う。通信ポート５から出力された信号は、通信回線６を経由して、ネットワーク上の他の装置７の通信ポートに伝えられる。ネットワーク上で共有されているプリンタや、画像読取装置（スキャナ）とのやり取りは、この通信制御部４を介して行われる。尚、本実施の形態では、ネットワークとしてＬＡＮなどを例に説明を行うが、この通信制御部４に接続される通信ポートおよび通信回線は、一般の公衆回線であっても本発明を適応可能であることは勿論である。
【００６６】
８は外部記憶装置制御部で、データファイル用のディスク、例えば、フロッピーディスク（以降、ＦＤともいう）９や、ハードディスク（以降、ＨＤＤともいう）１０へのアクセスを制御する。１１は入力制御部であり、キーボード１２、マウス１３等の入力装置が接続される。ユーザは、このキーボード１２やマウス１３を操作することによりシステムの動作指令等を行う。
【００６７】
１６はＣＲＴ装置（ＣＲＴ）であり、このＣＲＴ１６上における画像情報（ウィンドウ等）の加工指示にはポインティングデバイス（以降、ＰＤともいう）が使用され、本実施の形態ではマウス１３が使用される。このマウス１３を使用することで、ＣＲＴ１６上のカーソルをＸ，  Ｙ方向に任意に移動し、コマンドメニュー上のコマンドアイコンを選択して処理の指示を行う他、編集対象の指示、描画位置の指示等を行う。
【００６８】
１４はビデオイメージメモリ（以降、ＶＲＡＭともいう）で、ＣＲＴ１６に表示すべき描画データ（ビットマップデータ）が展開されており、表示出力制御部１５を介して適宜読み出され、ＣＲＴ１６上にその内容が表示される。１７はプリンタ制御部であり、接続されているプリンタ１８に対するデータの出力制御を行う。１Ａは画像読み取り機器制御部であり、接続されている画像読み取り機器（スキャナ）１Ｂの画像読み取り制御を行う。１９の外部機器制御部は、プリンタ制御部１７または画像読み取り機器制御部１Ａを制御して、外部機器であるネットワーク上の他の装置７に設けられているプリンタやスキャナ等の動作を制御する。
【００６９】
尚、本発明のサーバー側構成によるデータ処理装置（画像読み取りサーバー装置）については、前記画像読み取り機器制御部１Ａと画像読み取り機器１Ｂの構成要素が必須となるが、クライアント側装置（他のデータ処理装置等）では、前述のように、通信制御部４および通信ポート５を介してサーバー側の共有されている同構成要素を使用することが可能である。
【００７０】
また、図２の構成において、画像読み取り機器と画像読み取りサーバ装置が物理的に別々のコンポーネントであった場合、画像読み取りサーバ装置が、画像読み取り機器を含む１つのコンポーネントと同様な機能を有するものとする。
【００７１】
そして、本実施の形態において、ＲＯＭ（ＰＭＥＭ３）に記憶されている当該処理プログラムは、データ処理装置に直接接続されているＨＤＤ１０やＦＤ９などの記憶媒体や、ネットワークで構成（接続）されている他の装置上等に重複して複数記憶されていてもよい。
【００７２】
さらに、本発明の処理プログラムは、ＨＤＤ１０やＦＤ９などの記憶媒体や、ネットワークを介した他のシステムや装置に供給することが可能である。
【００７３】
（第１の実施の形態）
以下に、各ＰＣをアイコン表示する際に、サーバー機能を持つＰＣに関してはその機能を有することを意味する形状を有するアイコンにて表示する処理について説明を行う。
【００７４】
図３は、図２に示したＣＲＴ１６上に表示される、各種ＰＣおよび各種周辺機器により構成されるネットワークシステムの仮想システム構成表示画面の一例を示した図である。
【００７５】
図３に示す如くに、本実施の形態では、ネットワーク上に存在する各ＰＣおよび各周辺機器が、視覚的に容易に認識可能となるように、各ＰＣおよび各周辺機器のアイコン形状に特徴を持たせて表示している。
【００７６】
アイコン３０１は自分のＰＣを示すアイコンである。アイコン３０２、３０４はスキャナの共有サーバー機能を持ったサーバーであり、この機能（サーバー機能）を明示するマーク（左下にある緑色の四角マーク）が付加されたＰＣアイコンが表示される。アイコン３０３は同様にＦＡＸの共有サーバー機能を持ったサーバーであり、この機能を明示するマークを付加したアイコンが表示される。
【００７７】
アイコン３０５は、周辺機器ではなくマシンの画面画像を提供するサーバー機能（共有サーバー機能ではない）を有しており、この場合でも、サーバー機能を有するＰＣアイコンにて表示がなされる。アイコン３０６は有効クライアント数を制御するための、ライセンスを管理するサーバー機能（共有サーバー機能ではない）を有するＰＣであり、同様にサーバー機能を有するＰＣアイコンにて表示される。アイコン３０７は特にサーバー機能を有さないＰＣなので一般のＰＣアイコンにて表示される。
【００７８】
図４は、本実施の形態におけるサーバー機能を有するＰＣ各々における管理情報テーブルの一例を示した図である。尚、この管理情報テーブルは、例えば、ＰＭＥＭ３（サーバー機能種別記憶手段）の開きエリアに記憶される。
【００７９】
図４における管理情報テーブルは、図３の仮想システム構成表示画面上に表示される各ＰＣを、サーバー機能を有するＰＣアイコンとして表示するか否かを判定するためのものであり、例えば当該ネットワークの立ち上げ時やネットワーク構成に変更が発生した際に、作成または更新される。
【００８０】
前記管理情報テーブルは、各ＰＣ毎に、例えばスキャナを共有機器として提供するスキャナサーバー機能を有するか否かの情報を格納するエリア４０１、ＦＡＸモデムまたはＦＡＸボードを共有機器として提供するＦＡＸサーバー機能を有するか否かの情報を格納するエリア４０２、デスクトップ画面の画像を公開するサーバー機能を有するか否かの情報を格納するエリア４０３、有効クライアント数を制御（ユーザのアクセスを管理）するライセンスサーバー機能を有するか否かの情報を格納するエリア４０４を備えて構成される。
【００８１】
図２のＣＰＵ２は、上記管理情報テーブルを参照して、各ＰＣ毎に、何らかのサーバー機能を有するか否かを判断し、該サーバー機能が１つでも備わっていると判断された場合、図３の仮想システム構成表示画面上に、サーバー機能を有するＰＣアイコンとして表示される。
【００８２】
次に、図５のフローチャートを参照して、本実施の形態におけるサーバー機能を有するＰＣを、仮想システム構成表示画面上に表示する動作について説明を行う。図５は、本実施の形態におけるサーバー機能を有するＰＣの表示制御を行うプログラムの制御動作を示したフローチャートである。
【００８３】
本プログラムは、図２で示したＨＤＤ１０、ＦＤ９、または図示しない他の記憶媒体に格納されたプログラムがＰＭＥＭ３に読み込まれ、該読み込まれたプログラムに基づいてＣＰＵ２が実行するものである。
【００８４】
まず、データ処理装置（例えば、図３におけるＰＣ３０１）は、自機を含むＬＡＮ１００上に存在する全ＰＣについて、該ＰＣが何らかのサーバー機能を有するか否かの情報を取得する（ステップ５０１）。尚、前記情報の取得は、例えば図４の管理情報テーブルを参照することにより行われる。
【００８５】
次に、ステップ５０１において取得したＰＣの情報から、全ＰＣの数Ｎを取得し（ステップ５０２）、カウンタ変数Ｉを１に初期化する（ステップ５０３）。
【００８６】
次に、ステップ５０４において、カウンタＩとＰＣ数Ｎを比較して、ＩとＮが等しいもしくはＩがＮより小さい場合（ＩがＮより大きくない場合）は、ステップ５０５へ進み、逆の場合は処理を終了する（ステップ５０４）。
【００８７】
ステップ５０５おいては、Ｉ番目のＰＣが図４で示した何らかのサーバー機能を有するか否かの判定が行われ、何らかのサーバー機能を有すると判定された場合は、ステップ５０６において、当該ＰＣを、図２のＣＲＴ１６に表示された仮想システム構成表示画面上に、図３に示す如くのサーバー機能を有するＰＣアイコンとして表示し、ステップ５０８に進む。
【００８８】
一方で、ステップ５０５において、何らのサーバー機能も有さないと判定された場合は、ステップ５０７に進み、当該ＰＣを、図２のＣＲＴ１６に表示された仮想システム構成表示画面上に、図３に示す如くの一般のＰＣアイコンとして表示し、ステップ５０８に進む。尚、上記で示した判定処理は一例に過ぎず、判定の種類がさらに多数であってもよく、これらに限定されるものではない。
【００８９】
以上の処理によって、Ｉ番目のＰＣに関する判定（アイコン表示）が終了すると、次のＰＣを判定の対象とするためにカウンタＩを１増やし、ステップ５０４に戻る（ステップ５０８）。ステップ５０４にてＩ＞Ｎとなり、全てのＰＣの判定に関する処理が終了すると、本処理は終了する。
【００９０】
以上の処理により、各ＰＣが何らかのサーバー機能を有するか否かを判定し、何らかのサーバー機能を有すると判定された場合、図２のＣＲＴ１６に表示された仮想システム構成表示画面上に、ユーザが視覚的に容易に判別することが可能な、図３に示す如くのサーバー機能を有するＰＣアイコンとしてアイコンの表示が行われ、操作性の向上が可能となる。
【００９１】
（第２の実施の形態）
上述の第１の実施形態では、サーバー機能を有するＰＣのアイコンを、一般のＰＣアイコンとは形状が異なるサーバー機能を有するＰＣを示すアイコンにて表示することにより、ユーザが視覚的に容易にサーバー機能を有するＰＣを識別できるようにしたことを特徴とする。
【００９２】
本第２の実施の形態は、上述の共有サーバーの種類のうちで、ライセンスサーバー機能を有するＰＣのみを別のアイコンにて表示することにより、所定のグループを形成するライセンスサーバー群を、ユーザが視覚的に容易に判断可能となるようにするものである。以下、図面を参照しながら説明を行う。尚、以下の説明において、ＰＣ（データ処理装置）の構成は図２と同様であり、ネットワークの構成も図３と同様であるものとして説明を行う。
【００９３】
図６は、図２に示したＣＲＴ１６上に表示される、第２の実施の形態における各種ＰＣおよび各種周辺機器により構成されるネットワークシステムの仮想システム構成表示画面の一例を示した図である。
【００９４】
図３のアイコン３０６がサーバー機能を有するＰＣであることは、図３の説明において述べた通りであるが、アイコン３０６が示すＰＣの有するサーバー機能がライセンス管理に関するものであることから、本実施の形態では、図６に示す如くに、図３におけるアイコン３０６（ライセンスサーバー機能を有するＰＣ）を、異なる形状のアイコン６０６にて表示している。
【００９５】
このライセンス管理のサーバー機能を有するか否かは、図４で示した管理情報テーブルにおけるエリア４０４に格納された情報を用いて判定される。
【００９６】
図７は、本実施の形態のライセンスを管理するサーバー機能を有するＰＣにおける各クライアント毎の管理情報を格納したクライアント管理情報テーブルの一例を示した図である。
【００９７】
図７のクライアント管理情報テーブルには、所有するライセンスを利用しているクライアントの情報であるＰＣ名、ユーザ名、利用開始時間、利用経過時間等が格納されている。図６におけるアイコン３０１で表された「私のＰＣ」が、図７におけるＰＣ名「ＰＣ００」に相当し、図７のテーブルから、例えば、このＰＣのユーザであるＫＩＫＵＣＨＩさんが、１９９９年７月２５日の９：１０から５０分間、アイコン６０６で示されるライセンスを管理するサーバー機能を有するＰＣを使用していることがわかる。
【００９８】
次に、図８のフローチャートを参照して、本実施の形態における共有サーバーの種類のうちで、ライセンスサーバー機能を有するＰＣのみを別のアイコンにて表示する動作について説明を行う。図８は、本実施の形態におけるライセンスサーバー機能を有するＰＣの表示制御を行うプログラムの制御動作を示したフローチャートである。
【００９９】
本プログラムは、図２で示したＨＤＤ１０、ＦＤ９、または図示しない他の記憶媒体に格納されたプログラムがＰＭＥＭ３に読み込まれ、該読み込まれたプログラムに基づいてＣＰＵ２が実行するものである。
【０１００】
まず、データ処理装置（例えば、図３におけるＰＣ３０１）は、自機を含むＬＡＮ１００上に存在する全ＰＣについて、該ＰＣが何らかのサーバー機能を有するか否かの情報を取得する（ステップ８０１）。尚、前記情報の取得は、例えば図４の管理情報テーブルを参照することにより行われる。
【０１０１】
次に、ステップ８０１において取得したＰＣの情報から、全ＰＣの数Ｎを取得し（ステップ８０２）、カウンタ変数Ｉを１に初期化する（ステップ８０３）。
【０１０２】
次に、ステップ８０４において、カウンタＩとＰＣ数Ｎを比較して、ＩとＮが等しいもしくはＩがＮより小さい場合（ＩがＮより大きくない場合）は、ステップ８０５へ進み、逆の場合は処理を終了する。
【０１０３】
ステップ８０５おいては、Ｉ番目のＰＣが図４で示した何らかのサーバー機能を有するか否かの判定が行われ、何らかのサーバー機能を有すると判定された場合は、ステップ８０６において、ライセンスを管理するサーバー機能を有するか否かの判定が行われ、ライセンスを管理するサーバー機能を有すると判定された場合は、ステップ８０７にて、ＣＲＴ１６に表示された仮想システム構成表示画面上に、ライセンスを管理するサーバー機能を有する所定の形状のＰＣアイコンを表示し、ステップ８１０に進む。
【０１０４】
ステップ８０６において、ライセンスを管理するサーバー機能を有すると判定された場合は、ステップ８０７にて、ＣＲＴ１６に表示された仮想システム構成表示画面上に、図３に示す如くのサーバー機能を有するＰＣアイコンとして表示し、ステップ８１０に進む。
【０１０５】
一方、ステップ８０５において、何らのサーバー機能も有さないと判定された場合は、ステップ８０９に進み、当該ＰＣを、ＣＲＴ１６に表示された仮想システム構成表示画面上に、図３に示す如くの一般のＰＣアイコンとして表示し、ステップ８１０に進む。尚、上記で示した判定処理は一例に過ぎず、判定の種類がさらに多数であってもよく、これらに限定されるものではない。
【０１０６】
以上の処理によって、Ｉ番目のＰＣに関する判定（アイコン表示）が終了すると、次のＰＣを判定の対象とするためにカウンタＩを１増やし、ステップ８０４に戻る（ステップ８１０）。ステップ８０４にてＩ＞Ｎとなり、全てのＰＣの判定に関する処理が終了すると、本処理は終了する。
【０１０７】
以上の処理により、第１の実施形態に対して、さらにＰＣがライセンス管理のサーバー機能を有するかどうかを判定し、ライセンスを管理するサーバー機能を有すると判定された場合は、そのＰＣをライセンス管理を行うサーバー機能を有する所定の形状のＰＣアイコンで表示することによって、ユーザがライセンスを取得したいサーバーＰＣを、視覚的に容易に識別でき、操作性の向上が可能となる。
【０１０８】
（第３の実施形態）
上述の第１および第２の実施の形態では、サーバー機能を有するＰＣおよび共有サーバー機能を有するＰＣのうちでライセンスを管理するサーバー機能を有するＰＣのアイコンを、それぞれ、一般のＰＣとは異なった形状のＰＣアイコンにて表示することにより、ユーザが視覚的に容易にサーバー機能、さらには、ライセンスを管理するサーバー機能を有するＰＣを識別できるようにしたことを特徴とする。
【０１０９】
本第３の実施形態では、各ライセンス管理サーバーおよびそのライセンスを使用するクライアントで構成されるグループクライアントを明確にすることで、自機が属するグループを形成するライセンスサーバーおよびそのクライアントを視覚的に容易に判断可能となるようにするものである。以下、図面を参照しながら説明を行う。尚、自機がライセンスを管理するサーバー機能を有する場合でもこの処理は同じであり、ここではこの例を合わせて説明する。
【０１１０】
図９は、図２に示したＣＲＴ１６上に表示される、第３の実施の形態における各種ＰＣおよび各種周辺機器により構成されるネットワークシステムの仮想システム構成表示画面の一例を示した図である。
【０１１１】
図９において、アイコン９０１は自分のＰＣであり、アイコン９０６が自機アイコン９０１の利用しているライセンスを管理するサーバー機能を有するＰＣである。また、アイコン９０２、９０３、９０４は同様に、ライセンスを管理するサーバー機能を有するＰＣであるアイコン９０６から、ライセンスを取得しているＰＣであり、それを意味する四角マークがアイコン左下に表示されている。
【０１１２】
これらの表示、すなわち自機が属するライセンスを管理するサーバー機能を有するＰＣに属する他のクライアントＰＣの表示は、以下の手順により、前記クライアントＰＣが認識されることによって、可能となる。
【０１１３】
まず、図４で示した管理情報テーブルから、ライセンスを管理するサーバー機能を有するＰＣをリストアップする。さらにリストアップされたライセンスを管理するサーバー機能を有するＰＣの中から、自機が属しているライセンスを管理するサーバー機能を有するＰＣを検出する。尚、この方法は特に限定することはなく、自機によってライセンスを取得しているＰＣを記憶しておいてもよい。
【０１１４】
この自機が属するライセンスを管理するサーバー機能を有するＰＣが持っている、図７で示したクライアント管理情報テーブルから、現在ライセンスを取得して利用しているクライアントＰＣのリスト情報を取得する。この情報を利用することで、自機が属する、ライセンスを管理するサーバー機能を有するＰＣに属する、他のクライアントＰＣが認識され、自機が属するライセンスを管理するサーバー機能を有するＰＣに属する他のクライアントＰＣの表示が行われる。
【０１１５】
以上により、自機が属する、ライセンスを管理するサーバー機能を有するＰＣがまとめ役となるグループを構成するクライアントＰＣを把握することが可能となる。また、前述の如くに、このグループに属するクライアントＰＣは、このグループに属することを意味する特別なアイコンにて表示される。
【０１１６】
次に、図１０のフローチャートを参照して、自機が属する、ライセンスを管理するサーバー機能を有するＰＣがまとめ役となるグループに属するクライアントＰＣを表示する動作について説明を行う。図１０は、自機が属するグループに属するクライアントＰＣの表示制御を行うプログラムの制御動作を示したフローチャートである。
【０１１７】
本プログラムは、図２で示したＨＤＤ１０、ＦＤ９、または図示しない他の記憶媒体に格納されたプログラムがＰＭＥＭ３に読み込まれ、該読み込まれたプログラムに基づいてＣＰＵ２が実行するものである。
【０１１８】
まず、データ処理装置（例えば、図３におけるＰＣ３０１）は、自機を含むＬＡＮ１００上に存在する全ＰＣについて、該ＰＣが何らかのサーバー機能を有するか否かの情報を取得する（ステップ１００１）。尚、前記情報の取得は、例えば図４の管理情報テーブルを参照することにより行われる。
【０１１９】
次に、ステップ１００１において取得したＰＣの情報から、全ＰＣの数Ｎを取得し（ステップ１００２）、自機が利用しているライセンスを管理しているライセンス管理サーバー（ライセンスを管理するサーバー機能を有するＰＣ）を取得して、そのサーバーから現在ライセンスを利用しているクライアントＰＣのリストを取得し（ステップ１００３）、カウンタ変数Ｉを１に初期化する（ステップ１００４）。
【０１２０】
次に、ステップ１００５において、カウンタＩとＰＣ数Ｎを比較して、ＩとＮが等しいもしくはＩがＮより小さい場合（ＩがＮより大きくない場合）は、ステップ１００６へ進み、逆の場合は処理を終了する。
【０１２１】
ステップ１００６おいては、Ｉ番目のＰＣが自機が利用しているライセンス管理サーバーか否かの判定が行われ、自機が利用しているライセンス管理サーバーであると判定された場合は、ステップ１００７にて、ＣＲＴ１６に表示された仮想システム構成表示画面上に、自機が利用してるライセンス管理サーバーであることを示す所定の形状のＰＣアイコンを表示し、ステップ１０１１に進む。
【０１２２】
ステップ１００６おいて、Ｉ番目のＰＣが自機が利用しているライセンス管理サーバーでないと判定された場合はステップ１００８において、ステップ１００３で取得したクライアントＰＣのリストを参照し、Ｉ番目のＰＣが、クライアントＰＣのリストに属するＰＣであるか否かの判定が行われ、クライアントＰＣのリストに属するＰＣであると判定された場合は、ステップ１００９にて、ＣＲＴ１６に表示された仮想システム構成表示画面上に、クライアントＰＣであることを示す所定の形状のＰＣアイコンを表示し、ステップ１０１１に進む。
【０１２３】
ステップ１００８において、Ｉ番目のＰＣが、クライアントＰＣのリストに属さないＰＣであると判定された場合は、ステップ１０１０にて、ＣＲＴ１６に表示された仮想システム構成表示画面上に、一般のＰＣであることを示す形状のＰＣアイコンを表示し、ステップ１０１１に進む。
【０１２４】
以上の処理によって、Ｉ番目のＰＣに関する判定（アイコン表示）が終了すると、次のＰＣを判定の対象とするためにカウンタＩを１増やし、ステップ１００５に戻る（ステップ１０１１）。ステップ１００５にてＩ＞Ｎとなり、全てのＰＣの判定に関する処理が終了すると、本処理は終了する。
【０１２５】
なお、本実施の形態では、グループの意味合いを強くするため、第１および第２の実施の形態で示したサーバー機能を意味するＰＣについての混合処理は説明しなかったが、混在した表示も可能であり、表示モードをサーバー機能モードとグループ機能モードとに分けて表示することも可能であるし、優先順位をつけて例えばグループに関する情報を優先して表示することも可能である。また、アイコン表示に付加する方法を用いて、両方の情報を表示してもよく、ここでは特に限定されるものではない。
【０１２６】
以上の処理により、本実施の形態を用いれば、ユーザは自分が属するライセンス管理サーバーＰＣおよびそのライセンスを利用しているクライアントＰＣを識別できることから、その意味を示すアイコンにて表示することにより、ライセンス管理サーバー（ライセンスを管理するサーバー機能を有するＰＣ）が管理するグループを視覚的に容易に識別することができ、さらに、利用ライセンス数を視覚的に容易に把握できることから、管理的な側面の向上が可能となる。
【０１２７】
（第４の実施形態）
上述の第３の実施形態では、自機が利用するライセンス管理サーバーＰＣとそのライセンスを利用するクライアントＰＣからなるＰＣの集合グループを視覚的に容易に把握できることを特徴とする。
【０１２８】
本第４の実施形態は、さらにこの集合グループに対して配信処理を行う際に、所望の配信データを、ライセンス管理サーバーＰＣのアイコン上にドロップするだけで、宛先指定などの処理を特に行うことなく、グループ全体にデータを配信することを可能とするものである。尚、前述の実施の形態を含め、自機がライセンスを管理するサーバー機能を有する場合でもこれらの処理は同じであり、ここではこの例を合わせて説明する。
【０１２９】
図１１は、図２に示したＣＲＴ１６上に表示される、第４の実施の形態における各種ＰＣおよび各種周辺機器により構成されるネットワークシステムの仮想システム構成表示画面の一例を示した図である。
【０１３０】
図１１において、アイコン１１０１は自分のＰＣであり、かつ有効ライセンス数を管理するサーバー機能を有するＰＣ（ライセンスを管理するサーバー機能を有するＰＣ）であることを示している。また、アイコン１１０２、１１０３、１１０４はそれぞれ自機が利用するライセンス管理サーバーＰＣのライセンスを利用しているクライアントＰＣを示すアイコンであり、自機を含むこれら４台によってグループが形成されている。さらに、アイコン１１０５、１１０６、１１０７は一般のＰＣを示すアイコンであり、アイコン１１０８は、ＰＣ１１０４によって共有されているスキャナである。
【０１３１】
ここで、図１１に示した矢印は、スキャナをドラッグして、自機のサーバーアイコンにドロップした処理を意味する。この処理動作により、ライセンスを管理するサーバー（グループを構成するサーバー）に対して、スキャナデータの転送処理が行われる。尚、ここであげた転送データ（配信データ）は、スキャナによる読み取りデータをソースとしているが、単純にファイルをドロップしてもよいし、特にデータの種類は限定するものではない。また指示方法（配信先指定手段）とした、ここではドラッグ＆ドロップ処理としたが、メニューから指示をしてもよく、コピー＆ペースト処理などを用いてよく、ソースとディスティネーションが明確に指示できていれば特に限定しないものとする。
【０１３２】
前記処理動作（データ転送処理動作）が実行されると、まず自動的にスキャナからデータが取得される。その後、図７で示したライセンス管理サーバーに保持されているライセンス利用クライアントＰＣのリストが取得され、この各クライアントＰＣが宛先として指定される。そして、この宛先に対して、取得したデータを転送する処理が行われる。この場合には、スキャナ１１０８からデータを取得して、アイコンＰＣ１１０１で示される自機のサーバーＰＣおよびアイコン１１０２、１１０３、１１０４で示される各クライアントＰＣにデータが転送される。データ転送方法については既存の方法でよく、ここでは特に限定するものではない。
【０１３３】
次に、図１２のフローチャートを参照して、ＰＣの集合グループに対して一括して転送データの配信処理を行う動作について説明を行う。図１２は、転送データの配信処理を一括して行うプログラムの制御動作を示したフローチャートである。
【０１３４】
本プログラムは、図２で示したＨＤＤ１０、ＦＤ９、または図示しない他の記憶媒体に格納されたプログラムがＰＭＥＭ３に読み込まれ、該読み込まれたプログラムに基づいてＣＰＵ２が実行するものである。
【０１３５】
まず、自機が属するライセンス管理サーバーＰＣ（この場合は、自機の１１０１）に対して、データの転送処理要求があったか、すなわち、グループに対するデータの転送要求があったか否かの検出が行われる（ステップ１２０１）。ステップ１２０１において、データ転送要求のあったと判断されると、ステップＳ１２０２に進み、指定されたデータの取得を開始する。
【０１３６】
指定されたデータの取得が完了すると、データ転送先としてライセンス管理サーバーＰＣが管理しているライセンスを利用しているクライアントＰＣのリスト（図７）が取得される（ステップＳ１２０３）。そして、ステップＳ１２０４にて、このリストが参照され、登録されている各クライアントＰＣが転送先として自動的に宛先指定される。さらに、ステップＳ１２０５にて、自動的にライセンス管理サーバーＰＣおよび各クライアントＰＣに対してデータの転送が一括してまたは順次に行われる。
【０１３７】
以上の処理により、ユーザが自分の属するライセンス管理サーバーＰＣおよびそのライセンスを利用しているクライアントＰＣから構成されるグループに対してデータの転送を指示する際、転送したいデータをライセンス管理サーバーに対して指示するだけで、改めて宛先指定をすることなく、データの転送が可能となり、グループに対するデータ転送を容易とすることが可能となる。また、ＣＲＴ１６における仮想システム構成表示画面上に表示されたネットワーク構成が、前述の第３の実施の形態で示したように、グループの構成ＰＣが視覚的に容易に把握できる状態にて表示されていた場合、ユーザは前記処理動作（ドラッグ＆ドロップ動作等）を視覚的に容易に行うことができる。
【０１３８】
以上説明したように本発明によれば、これまでＰＣを表示する際に、各ＰＣが持つ様々な機能を示すことができなかったアイコン表示において、サーバー機能を有するＰＣを、その機能を示すアイコンを用いて表示することで、ユーザは視覚的にサーバー機能を有するＰＣを把握可能となる。
【０１３９】
また、特に有効ライセンス数を管理するサーバー機能を有するＰＣは、また別のアイコンで表示して、そのライセンスを利用するクライアントＰＣを表示する際に、このライセンスに関するサーバーとクライアントのＰＣを１グループとして視覚的なアイコン表示を提供することで、ライセンス管理の処理を軽減することが可能となる。
【０１４０】
さらにこの視覚的なグループ表示を用いてデータ転送処理を行うことにより、ユーザは前記グループに対して所望のデータを転送する場合に、特に（あらためて）宛先を指定することなく、簡単な操作でグループに対してデータ転送を行うことが可能となる。
【０１４１】
ところで、上記実施の形態においては、本発明の情報提示装置を動作させるためのプログラムをＲＯＭに保持する場合について説明したが、これに限定されるものではなく、任意の記憶媒体を用いて実現してもよい。さらには、同様の動作をする回路にて実現してもよい。
【０１４２】
また、上記の本発明は、複数の機器から構成されるシステムに適用しても１つの機器からなる装置に適用しても良い。また、上述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【０１４３】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記録媒体は本発明を構成する。かかるプログラムコードを記憶する記録媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【０１４４】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【０１４５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【０１４６】
なお、上記実施形態において示した各部の形状および構造は、何れも本発明を実施するにあたっての具体化のほんの一例を示したものに過ぎず、これらによって本発明の技術的範囲が限定的に解釈されてはならないものである。すなわち、本発明はその精神、またはその主要な特徴から逸脱することなく、様々な形で実施することができる。
【０１４７】
【発明の効果】
以上説明したように本発明によれば、サーバー機能を有する情報処理機器および共有サーバー機能を有する情報処理機器のうちでライセンスを管理するサーバー機能を有する情報処理機器のキャラクタ情報を、それぞれ、一般の情報処理機器とは異なった形状のキャラクタ情報にて表示するようにしたので、ユーザが視覚的に容易にサーバー機能、さらには、ライセンスを管理するサーバー機能を有する情報処理機器を識別できる。
【０１４８】
また、各ライセンスを管理するサーバー機能を有する情報処理機器およびそのライセンスを使用するクライアント側情報処理機器で構成されるグループクライアントを明確にしたので、自機が属するグループを形成するライセンスを管理するサーバー機能を有する情報処理機器およびそのクライアント側情報処理機器を視覚的に容易に判断することができる。
【０１４９】
さらに、この集合グループに対して配信処理を行う際に、所望の配信データを、ライセンスを管理するサーバー機能を有する情報処理機器のキャラクタ情報上にドロップするだけで、宛先指定などの処理を特に行うことなく、グループ全体にデータを配信することができる。
【図面の簡単な説明】
【図１】本発明におけるデータ処理装置を含むネットワーク機器のシステム構成例を示した図である。
【図２】本発明のデータ処理装置の構成を示したブロック図である。
【図３】図２に示したＣＲＴ上に表示される、各種ＰＣおよび各種周辺機器により構成されるネットワークシステムの仮想システム構成表示画面の一例を示した図である。
【図４】本実施の形態におけるサーバー機能を有するＰＣ各々における管理情報テーブルの一例を示した図である。
【図５】本実施の形態におけるサーバー機能を有するＰＣの表示制御を行うプログラムの制御動作を示したフローチャートである。
【図６】図２に示したＣＲＴ上に表示される、第２の実施の形態における各種ＰＣおよび各種周辺機器により構成されるネットワークシステムの仮想システム構成表示画面の一例を示した図である。
【図７】本実施の形態のライセンスを管理するサーバー機能を有するＰＣにおける各クライアント毎の管理情報を格納したクライアント管理情報テーブルの一例を示した図である。
【図８】本実施の形態におけるライセンスサーバー機能を有するＰＣの表示制御を行うプログラムの制御動作を示したフローチャートである。
【図９】図２に示したＣＲＴ上に表示される、第３の実施の形態における各種ＰＣおよび各種周辺機器により構成されるネットワークシステムの仮想システム構成表示画面の一例を示した図である。
【図１０】自機が属するグループに属するクライアントＰＣの表示制御を行うプログラムの制御動作を示したフローチャートである。
【図１１】図２に示したＣＲＴ上に表示される、第４の実施の形態における各種ＰＣおよび各種周辺機器により構成されるネットワークシステムの仮想システム構成表示画面の一例を示した図である。
【図１２】転送データの配信処理を一括して行うプログラムの制御動作を示したフローチャートである。
【符号の説明】
１      システムバス
２      ＣＰＵ（ Central Processing Unit）
３      プログラムメモリ（ＰＭＥＭ）
４      通信制御部
５      通信ポート
６      通信回線
７      ネットワーク上の他の装置
８      外部記憶装置制御部
９      フロッピーディスク（ＦＤ）
１０    ハードディスク（ＨＤＤ）
１１    入力制御部
１２    キーボード
１３    マウス
１４    ビデオイメージメモリ（ＶＲＡＭ）
１５    表示出力制御部
１６    ＣＲＴ装置（ＣＲＴ）
１７    プリンタ制御部
１８    プリンタ（ローカル）
１９    外部機器制御部
１Ａ    画像読み取り機器制御部
１Ｂ    画像読み取り機器（スキャナ）
１００  ＬＡＮ
１０１  ネットワークボード（ＮＢ）
１０２  ネットワークプリンタ
１０３，１０４，１０９，１１０，１１８，１１９  ＰＣ
１０５  ローカルプリンタ
１０６  ＰＣ（ファイルサーバ）
１０７  大容量ネットワークディスク
１０８  スキャナ
１１１  ＰＣ（ファイルサーバ）
１１２  大容量ネットワークディスク
１１３  ＰＣ（プリンタ／スキャナサーバ）
１１４  ローカルプリンタ
１１５  スキャナ
１１６  デジタル複写機
１１７  イメージングプロセッシングユニット
１２０  ＬＡＮ
１３０  ＬＡＮ
１４０  バックボーン
３０１  自分のＰＣを示すアイコン
３０２，３０４  スキャナの共有サーバー機能を持ったサーバーを示すアイコン
３０３  ＦＡＸの共有サーバー機能を持ったサーバーを示すアイコン
３０５  マシンの画面画像を提供するサーバー機能を持ったサーバーを示すアイコン
３０６  有効クライアント数を制御するためのライセンスを管理するサーバー機能を持ったサーバーを示すアイコン
３０７  一般のＰＣアイコン
４０１  スキャナを共有機器として提供するスキャナサーバー機能を有するか否かの情報を格納するエリア
４０２  ＦＡＸモデムまたはＦＡＸボードを共有機器として提供するＦＡＸサーバー機能を有するか否かの情報を格納するエリア
４０３  デスクトップ画面の画像を公開するサーバー機能を有するか否かの情報を格納するエリア
４０４  有効クライアント数を制御（ユーザのアクセスを管理）するライセンスサーバー機能を有するか否かの情報を格納するエリア
６０６  ライセンスサーバー機能を有するＰＣ
９０１  自分のＰＣを示すアイコン
９０２，９０３，９０４  アイコン９０６からライセンスを取得しているＰＣを示すアイコン
９０５，９０７  一般のＰＣアイコンを示すアイコン
１１０１  自分のＰＣを示すアイコン（自機）
１１０２，１１０３，１１０４  自機が利用するライセンス管理サーバーＰＣのライセンスを利用しているクライアントＰＣを示すアイコン
１１０５，１１０６，１１０７  一般のＰＣアイコン
１１０８  アイコン１１０４によって共有されているスキャナ
【図１】
0004560154.tif 000002
【図２】
0004560154.tif 000003
【図３】
0004560154.tif 000004
【図４】
0004560154.tif 000005
【図５】
0004560154.tif 000006
【図６】
0004560154.tif 000007
【図７】
0004560154.tif 000008
【図８】
0004560154.tif 000009
【図９】
0004560154.tif 000010
【図１０】
0004560154.tif 000011
【図１１】
0004560154.tif 000012
【図１２】
0004560154.tif 000013